【手続補正書】
【提出日】令和3年11月24日(2021.11.24)
【手続補正１】
【補正対象書類名】特許請求の範囲
【補正対象項目名】全文
【補正方法】変更
【補正の内容】
【特許請求の範囲】
【請求項１】
ウェブサイト構築システムのためのツールであって、前記ツールは、少なくとも１つのプロセッサ及びメモリに実装され、
前記ツールは、
複数のテキストオプションを記憶するデータベースであって、各テキストオプションは、フィールドロールに関連する階層化データ構造（ＨＤＳ）の形をなし、前記テキストオプションは、前記ウェブサイト構築システムから、及び前記ウェブサイト構築システムの外部のソースから収集された情報に基づいており、各ＨＤＳは、フィールドコンテンツ、テキストパラグラフ、及びセンテンスを表すノード及びサブツリーを有する、データベースと、
ウェブサイトの編集可能なテキストフィールドのためのフィールドロールを受信し、決定するためのロール決定器であって、前記ウェブサイトは、前記ウェブサイト構築システムを用いて編集され、生成される少なくとも１つである、ロール決定器と、
前記フィールドロールのために前記データベースから少なくとも１つのテキストオプション推奨を行うための分析エンジンと、
ユーザが、前記編集可能なテキストフィールドのための１つの推奨されたテキストオプションを選択することを可能にし、前記ＨＤＳのローカルインスタンスの少なくとも編集ノード及びサブツリーを含む前記テキストオプションのＨＤＳのローカルインスタンスを編集することを可能にする、ＨＤＳエディタと、
前記ローカルインスタンスを線形化し、前記ウェブサイト構築システムのサイト生成システム及びエディタのうちの少なくとも１つのための前記編集可能なテキストフィールドのためのテキストを生成するテキスト生成器と、
を含むウェブサイト構築システムのためのツール。
【請求項２】
前記ＨＤＳ、フィールドロール、及びルールの構成及びコンテンツに関して、前記情報を分析し、変更推奨を行うための分析エンジンをさらに備え、前記情報の前記分析は、ルールにしたがう、請求項１に記載のツール。
【請求項３】
前記ツールが、
少なくとも１つのエンティティに対する修正、前記ＨＤＳエディタからの前記修正、前記少なくとも１つのテキストオプション推奨からの前記修正、及び前記分析エンジンからの前記変更推奨を管理するＨＤＳ／ルールハンドラーであって、前記少なくとも１つのエンティティは、ロール、ルール、ノード及びサブツリーのうちの１つである、ＨＤＳ／ルールハンドラーと、
前記情報を収集するデータ収集器と、
をさらに含む請求項２に記載のツール。
【請求項４】
前記ツールが、
前記生成されたテキストに基づいてＳＥＯ特有のＳＥＯ情報を生成し、前記データ収集器のためのＳＥＯデータを提供するためのＨＤＳ  ＳＥＯ（検索エンジン最適化）ビルダーと、
前記ウェブサイト構築システムの外部のサービスのためのテキストキット抽出及びキット再統合機能を提供するためのテキストキットインターフェースと、
のうちの少なくとも１つを含む、請求項３に記載のツール。
【請求項５】
前記分析エンジンが、
前記情報を分析し、人工知能及び機械学習技術を用いて前記少なくとも１つのテキストオプション推奨及び前記変更推奨を行う、ＡＩ（人工知能）／ＭＬ（機械学習）エンジンと、
前記情報を分析し、自然言語処理技術を用いて前記少なくとも１つのテキストオプション推奨及び前記変更推奨を行うためのＮＬＰ（自然言語プロセッサ）エンジンと、
前記ルールにしたがって前記少なくとも１つのエンティティに関する前記ＨＤＳ／ルールハンドラーの機能を決定するためのルールエンジンと、
のうちの少なくとも１つを含む、請求項３に記載のツール。
【請求項６】
前記ＨＤＳエディタが、
基本ＨＤＳ定義を作成及び変更するＨＤＳ作成器／エディタと、
前記基本ＨＤＳ定義からＨＤＳインスタンスを作成及び編集するＨＤＳインスタンス作成器と、
前記基本ＨＤＳ定義の最初のロール割り当てを作成及び編集するルール作成器／エディタと、
を含む、請求項２に記載のツール。
【請求項７】
前記ＨＤＳ／ルールハンドラーが、
一般に前記少なくとも１つのエンティティをオーダーするオーダー器と、
一般に前記少なくとも１つのエンティティを削除する削除器と、
一般に前記少なくとも１つのエンティティを作成する作成器と、
一般に前記少なくとも１つのエンティティをフィルターするフィルター器と、
一般に前記少なくとも１つのエンティティをランク付けするランク付け器と、
前記少なくとも１つのエンティティを多様化する多様化器と、
前記ＨＤＳに変更を適用するためのノードアダプターと、
前記ルールに変更を適用するためのルールアダプターと、
を含む、請求項３に記載のツール。
【請求項８】
前記データ収集器は、
前記ウェブサイト構築システム内から前記情報を収集するための内部データ収集器と、
前記ウェブサイト構築システムの外部のリソースから前記情報を収集するための外部データ収集器と、
ＨＤＳをテストするためにクラウドソース情報を集めるためにクラウドソース情報を収集するクラウドソースデータ収集器と、
のうちの少なくとも１つを含む、請求項３に記載のツール。
【請求項９】
前記ウェブサイト構築システムのための前記分析エンジン及びユーザ活動のうちの少なくとも１つに基づいて前記ウェブサイト構築システムにヒントを提供するための前記ツールをさらに備える、請求項１に記載のツール。
【請求項１０】
ウェブサイト構築システムのための方法であって、
複数のテキストオプションをデータベースに記憶することであって、各テキストオプションは、フィールドロールに関連する階層化データ構造（ＨＤＳ）の形をなし、前記テキストオプションは、前記ウェブサイト構築システムから、及び前記ウェブサイト構築システムの外部のソースから収集された情報に基づいており、各ＨＤＳは、フィールドコンテンツ、テキストパラグラフ、及びセンテンスを表すノード及びサブツリーを有する、記憶することと、
ウェブサイトの編集可能なテキストフィールドのためのフィールドロールを受信し、決定することであって、前記ウェブサイトは、前記ウェブサイト構築システムを用いて編集され、生成される少なくとも１つである、受信し、決定することと、
前記フィールドロールのために前記データベースから少なくとも１つのテキストオプション推奨を行うための分析エンジンを使用することと、
ユーザが、前記編集可能なテキストフィールドのための１つの推奨されたテキストオプションを選択することを可能にし、前記ＨＤＳのローカルインスタンスの少なくとも編集ノード及びサブツリーを含む前記テキストオプションのＨＤＳのローカルインスタンスを編集することを可能にすることであって、前記ローカルインスタンスを線形化し、前記ウェブサイト構築システムのサイト生成システム及びエディタのうちの少なくとも１つのための前記編集可能なテキストフィールドのための前記テキストを生成する、可能にすることと、
を含む、方法。
【請求項１１】
前記分析エンジンを使用して、前記情報を分析し、前記ＨＤＳ、フィールドロール及びルールの構成及びコンテンツに関する変更推奨を行うことをさらに含み、前記情報の前記分析はルールにしたがう、請求項１０に記載の方法。
【請求項１２】
前記方法が、
少なくとも１つのエンティティに対する修正、前記ユーザに選択を可能にし、編集を可能にすることからの前記修正、前記少なくとも１つのテキストオプション推奨からの前記修正、及び前記分析エンジンからの前記変更推奨を管理することであって、前記少なくとも１つのエンティティは、ロール、ルール、ノード及びサブツリーのうちの１つである、管理することと、
前記情報を収集することと、
をさらに含む請求項１１に記載の方法。
【請求項１３】
前記方法が、
前記生成されたテキストに基づいてＳＥＯ（検索エンジン最適化）特有のＳＥＯ情報を生成し、前記情報の前記収集するためのＳＥＯデータを提供することと、
前記ウェブサイト構築システムの外部のサービスのためのテキストキット抽出及びキット再統合機能を提供することと、
のうちの少なくとも１つを含む、請求項１２に記載の方法。
【請求項１４】
前記分析エンジンを使用することが、
前記情報を分析し、人工知能及び機械学習技術を用いて、前記情報を分析し、前記少なくとも１つのテキストオプション推奨及び前記変更推奨を行うことと、
前記情報を分析し、自然言語処理技術を使用して前記少なくとも１つのテキストオプション推奨及び前記変更推奨を作成することと、
前記ルールにしたがって前記少なくとも１つのエンティティに関する前記変更を管理する機能を決定することと、
のうちの少なくとも１つを含む、請求項１２に記載の方法。
【請求項１５】
前記ユーザが選択することを可能にすること及び前記編集を可能にすることが、
基本ＨＤＳ定義の作成及び編集することと、
前記基本ＨＤＳ定義からのＨＤＳインスタンスを作成及び編集することと、
前記基本ＨＤＳ定義のための最初のロール割り当てを作成及び編集することと、
前記ルールを作成及び編集することと、
を含む、請求項１１に記載の方法。
【請求項１６】
前記修正の管理が、
前記少なくとも１つのエンティティをオーダーすることと、
前記少なくとも１つのエンティティを削除することと、
前記少なくとも１つのエンティティの作成することと、
前記少なくとも１つのエンティティをフィルターすることと、
前記少なくとも１つのエンティティをランク付けすることと、
前記少なくとも１つのエンティティを多様化することと、
前記ＨＤＳに変更を適用することと、
前記ルールに変更を適用することと、
を含む、請求項１２に記載の方法。
【請求項１７】
前記情報を収集することは、
前記ウェブサイト構築システム内からの前記情報を収集することと、
前記ウェブサイト構築システムの外部のリソースから前記情報を収集することと、
ＨＤＳをテストするためにクラウドソース情報を集めてクラウドソース情報を収集することと、
のうちの少なくとも１つを含む、請求項１２に記載の方法。
【請求項１８】
前記ウェブサイト構築システムのために分析エンジン及びユーザ活動を使用することのうちの少なくとも１つに基づいて、前記ウェブサイト構築システムにヒントを提供することをさらに含む、請求項１０に記載の方法。
【手続補正２】
【補正対象書類名】図面
【補正対象項目名】図８
【補正方法】変更
【補正の内容】
【図８】
2021508102.tif 000001
【手続補正３】
【補正対象書類名】図面
【補正対象項目名】図１２Ａ
【補正方法】変更
【補正の内容】
【図１２Ａ】
2021508102.tif 000002
【手続補正４】
【補正対象書類名】図面
【補正対象項目名】図１２Ｂ
【補正方法】変更
【補正の内容】
【図１２Ｂ】
2021508102.tif 000003
【手続補正５】
【補正対象書類名】図面
【補正対象項目名】図１２Ｃ
【補正方法】変更
【補正の内容】
【図１２Ｃ】
2021508102.tif 000004